(57)【要約】【課題】  簡単な構成で、光端末装置が故障しているか否かをセンター装置側で正確に把握する。【解決手段】  センター装置２と光端末装置４とが光伝送路６を介して接続されている。光端末装置４は、映像光端末部４ａ及び通信光端末部４ｂを備えている。センター装置２は、光テレビジョン信号及び光制御信号を光伝送路６を介して映像光端末部４ａに伝送し、通信光端末部４ｂと光伝送路６を介して光通信する。映像光端末部４ａは、光テレビジョン信号及び前記光制御信号を、電気テレビジョン信号及び電気制御信号にフォトダイオード１０によって変換する。電気テレビジョン信号を増幅して映像光端末部の外部に出力する増幅段１８、２０が、電気制御信号に従ってオン、オフされる。増幅段１８、２０の出力レベルを検波回路３８、４０が検出し、マイクロコンピュータ３２で閾値と比較され、比較結果が、通信光端末部４ｂを介してセンター装置２に伝送される。【選択図】        図１
2010177903.tif 000002
【特許請求の範囲】
【請求項１】
センター装置と、映像光端末部及び通信光端末部を含み、このセンター装置に光伝送路を介して接続された光端末装置とを、備え、
前記センター装置は、光テレビジョン信号及び光制御信号を前記光伝送路を介して前記映像光端末部に伝送し、前記通信光端末部と前記光伝送路を介して光通信し、
前記映像光端末部は、
前記光テレビジョン信号及び前記光制御信号を、電気テレビジョン信号及び電気制御信号に変換する光電変換手段と、
前記電気テレビジョン信号を前記映像光端末部の外部に出力し、前記電気制御信号に従って前記電気テレビジョン信号の伝送状態が制御される伝送手段と、
前記伝送手段の出力レベルを検出するレベル検出手段とを、
具備し、前記レベル検出手段の出力信号または該出力信号の予め定めた閾値との比較結果が、前記通信光端末部を介して前記センター装置に伝送される
光伝送システム。
【請求項２】
映像光端末部及び通信端末部を備え、センター装置に光伝送路を介して接続され、
前記映像光端末部は、
光テレビジョン信号及び光制御信号を、電気テレビジョン信号及び電気制御信号に変換する光電変換手段と、
前記電気テレビジョン信号を前記映像光端末部の外部に出力し、前記電気制御信号に従って前記電気テレビジョン信号の伝送状態が制御される伝送手段と、
前記伝送手段の出力レベルを検出するレベル検出手段とを、
具備し、前記レベル検出手段の出力信号または該出力信号の予め定めた閾値との比較結果を、前記通信光端末部に供給し、前記センター装置に伝送する
光端末装置。
【請求項３】
請求項２記載の光端末装置において、前記レベル検出手段の出力信号または前記比較結果を表示する表示手段を有する光端末装置。
【請求項４】
請求項２または３記載の光端末装置において、前記電気テレビジョン信号は、異なる周波数帯のものからなり、前記伝送手段は、前記周波数帯ごとに設けられ、前記電気制御信号は、前記周波数帯ごとの伝送手段を個別に制御する
光端末装置。
【発明の詳細な説明】
【技術分野】
【０００１】
本発明は、光テレビジョン信号をセンター装置から光端末装置に光伝送路を介して伝送すると共に、センター装置と光端末装置との間で光伝送線路を介して通信を行うことができる光伝送システム及びその光端末装置に関する。
【背景技術】
【０００２】
上記のような光伝送システムを利用して、いわゆる光ＣＡＴＶを構成することがある。この場合、光端末装置は各家庭に設置され、そのうちＣＡＴＶの受信契約を締結した家庭に対してセンター装置側から光制御信号を光伝送路を介して光端末装置に伝送し、光端末装置において光テレビジョン信号を変換した電気テレビジョン信号をテレビジョン受信機に供給するように光端末装置内の増幅器を制御することがある。この場合、光端末装置では、光制御信号を電気制御信号に変換して制御を行い、その電気制御信号を再度光制御信号に変換してセンター装置に伝送して、光端末装置側で制御が行われたことを報知している。
【０００３】
しかし、この手法では、電気制御信号を光制御信号に変換してセンター装置側に伝送している。そのため、例えば光端末装置側の増幅器が故障しており、電気制御信号によって増幅器が電気テレビジョン信号を出力するように制御しているにも拘わらず、実際にはテレビジョン受像器に電気テレビジョン信号が伝送されていないことを、センター装置側で把握することができない。また、家庭側のテレビジョン受信機で受信ができない場合、センター装置側にクレームが寄せられるが、センター装置側では、テレビジョン受信機側に故障があるのか、光伝送システム側に問題があるのかを把握することができない。
【０００４】
例えば特許文献１には、光伝送システムの光端末装置に電源を供給する装置において、光端末装置から出力されるテレビジョン信号のレベルを検出し、その検出結果を電源の監視結果と共に、光伝送システムとは別のネットワークを介してセンター装置側に伝送する監視装置兼電源装置が開示されている。
【先行技術文献】
【特許文献】
【０００５】
【特許文献１】特開２００８−２２７８４２号公報
【発明の概要】
【発明が解決しようとする課題】
【０００６】
特許文献１の装置によれば、テレビジョン信号の出力レベルを検出して、センター装置側に伝送しているので、上述したような問題を解決することができる。しかし、光端末装置とは別に監視装置を設けなければならず、構成が複雑になる。しかも、光伝送システムとは別のネットワークを介して監視結果を伝送しなければならず、さらに構成が複雑になる。
【０００７】
本発明は、簡単な構成で、光端末装置が故障しているか否かをセンター装置側で正確に把握することができる光伝送システム及び光端末装置を提供することを目的とする。
【課題を解決するための手段】
【０００８】
本発明の一態様による光伝送システムは、センター装置と、映像光端末部及び通信光端末部を含み、このセンター装置に光伝送路を介して接続された光端末装置とを、備えている。前記センター装置は、光テレビジョン信号及び光制御信号を前記光伝送路を介して前記映像光端末部に伝送し、さらに、前記通信光端末部と前記光伝送路を介して光通信する。前記映像光端末部は、光電変換手段を有し、これは、前記光テレビジョン信号及び前記光制御信号を、電気テレビジョン信号及び電気制御信号に変換する。伝送手段が、前記電気テレビジョン信号を前記映像光端末部の外部に出力し、前記電気制御信号に従って前記電気テレビジョン信号の伝送状態が制御される。前記伝送手段の出力レベルをレベル検出手段が検出する。前記レベル検出手段の出力信号または該出力信号の予め定めた閾値との比較結果が、前記光通信端末部を介して前記センター装置に伝送される。
【０００９】
本発明の他の態様の光端末装置は、映像光端末部及び通信光端末部を備え、センター装置に光伝送路を介して接続されている。前記映像光端末部は、光電変換手段を有し、これは、前記光テレビジョン信号及び前記光制御信号を、電気テレビジョン信号及び電気制御信号に変換する。前記映像光端末部は、伝送手段も有し、この伝送手段は、前記電気テレビジョン信号を前記映像光端末部の外部に出力し、前記電気制御信号に従って前記電気テレビジョン信号の伝送状態が制御される。前記伝送手段の出力レベルをレベル検出手段が検出する。前記レベル検出手段の出力信号または該出力信号の予め定めた閾値との比較結果が、前記通信光端末部を介して前記センター装置に伝送される。
【００１０】
両態様において、伝送手段としては、例えば増幅器や減衰器、開閉スイッチを使用することができる。
【００１１】
これらの構成では、光端末装置では、伝送手段の出力信号のレベルが検出され、その検出結果または検出結果の予め定めた閾値との比較結果がセンター装置側に伝送されているので、センター装置側において、光端末装置側で実際に電気テレビジョン信号が出力されているか否かを正確に把握することができる。しかも、この検出結果または比較結果は、光端末装置が備える通信光端末部を利用して送信することができるので、光端末装置とは別に監視装置を設ける必要はなく、しかもこの検出結果または比較結果の伝送用のネットワークを設ける必要も無い。
【００１２】
また、前記レベル検出手段の出力信号または前記比較結果を表示する表示手段を光端末装置に設けることもできる。このように構成すると、例えば光端末装置の保守点検に行った作業員が、現状を表示手段の表示状態から知ることができる。
【００１３】
前記電気テレビジョン信号は、異なる周波数帯のもの、例えばＶＨＦ帯及びＵＨＦ帯のテレビジョン信号と、衛星放送の中間周波信号とからなるものとすることができる。この場合、前記伝送手段は、前記周波数帯ごとに設けられ、前記電気制御信号は、前記周波数帯ごとの伝送手段を個別に制御する。
【００１４】
このように構成すると、光端末装置の使用者が、例えばＶＨＦ帯及びＵＨＦ帯のみを受信する場合、衛星放送の中間周波信号のみを受信する場合、またはＶＨＦ帯及びＵＨＦ帯並びに衛星放送の中間周波信号を受信する場合のいずれの場合にも対応することができる。
【発明の効果】
【００１５】
以上のように、本発明によれば、簡単な構成で、光端末装置からテレビジョン信号が正常に出力されているか否かをセンター装置側で正確に把握することができる。
【図面の簡単な説明】
【００１６】
【図１】本発明の一実施態様のブロック図である。
【発明を実施するための形態】
【００１７】
本発明の一態様の光伝送システムは、図１に示すように、センター装置２と光端末装置４とを有している。図では、光端末装置４を１台のみ示しているが、実際には複数台の光端末装置４が使用されている。
【００１８】
センター装置２は、放送系センター装置２ａと、通信系センター装置２ｂとを、有している。また、光端末装置４も、映像光端末部、例えばＶ−ＯＮＵ４ａと、通信光端末部、例えばＤ−ＯＮＵ４ｂとを有している。放送系センター装置２ａは、Ｖ−ＯＮＵ４ａに光伝送路６の放送系光伝送路６ａを介して接続され、通信系センター装置２ｂは、Ｄ−ＯＮＵ４ｂに光伝送路６の通信系光伝送路６ｂを介して接続されている。
【００１９】
放送系センター装置２ａは、電気テレビジョン信号、例えばＵＨＦ帯及びＶＨＦ帯のテレビジョン放送信号を含むＣＡＴＶ信号と、衛星放送及び（または）衛星通信中間周波信号とを、光テレビジョン信号に変換し、この光テレビジョン信号を放送系光伝送路６ａを介してＶ−ＯＮＵ４ａに伝送する。
【００２０】
また、放送系センター装置２ａは、Ｖ−ＯＮＵ４ａにおいて、ＣＡＴＶ信号を出力するか、衛星放送及び（または）衛星通信中間周波信号を出力するか、両方を出力するかを指示する制御データを生成する。この制御データで搬送波を変調した電気制御信号を変換した光制御信号を、放送系センター装置２ａは、放送系光伝送路６ａを介してＶ−ＯＮＵ４ａに伝送する。即ち、放送系センター装置２ａとＶ−ＯＮＵ４ａとは、放送系センター装置２ａからＶ−ＯＮＵ４ａへの単方向伝送である。なお、電気制御信号は、ＣＡＴＶ信号、衛星放送及び（または）衛星通信中間周波信号とは異なる周波数帯である。
【００２１】
通信系センター装置２ｂは、Ｄ−ＯＮＵ４ｂと双方向通信が行えるもので、Ｄ−ＯＮＵ４ｂには、例えばパーソナルコンピュータ（ＰＣ）８が接続され、このパーソナルコンピュータ８は、通信系センター装置２ｂを利用して、例えばインターネット接続を行うことができる。Ｄ−ＯＮＵ４ｂの構成については公知であるので、詳細な説明は省略する。
【００２２】
Ｖ−ＯＮＵ４ａは、光電変換手段、例えばフォトダイオード（ＰＤ）１０を有している。フォトダイオード１０は、放送系光伝送路６ａを介して伝送された光テレビジョン信号を受光し、テレビジョン放送信号と電気制御信号とに変換する。このテレビジョン放送信号と電気制御信号とは、分岐手段、例えば１分岐器１２を介して増幅手段、例えば増幅段１４に供給される。
【００２３】
増幅段１４は、図示していないフィルタ手段を備え、テレビジョン放送信号のみを抽出して、増幅するように構成されている。この増幅段１４の出力信号は、分波手段、例えば分波器１６に供給される。
【００２４】
分波器１６の一方の分波出力のＣＡＴＶ信号は、伝送手段、例えば増幅手段、具体的には増幅段１８に供給される。増幅段１８は、ＣＡＴＶ信号を増幅するように構成されている。分波器１６の他方の分波出力の衛星放送及び（または）衛星通信の中間周波信号は、伝送手段、例えば増幅手段、具体的には増幅段２０に供給される。増幅段２０は、衛星放送及び（または）衛星通信の中間周波信号を増幅するように構成されている。
【００２５】
増幅段１８の出力信号は、分岐手段、例えば１分岐器２２を介して合成手段、例えば合成器２４に供給されている。増幅段２０の出力信号は、分岐手段、例えば１分岐器２６を介して合成器２４に供給されている。合成器２４は、両増幅段１８、２０の出力信号を合成して、出力端子４６に供給する。出力端子４６は、図示していないテレビジョン受信機に接続される。
【００２６】
増幅段１８、２０の電源端子は、それぞれ開閉手段、例えば開閉スイッチ２８、３０を介して直流電源に接続されており、制御手段、例えばマイクロコンピュータ３２からの制御信号に応じて開閉される。マイクロコンピュータ３２が開閉スイッチ２８のみを閉じたとき、増幅段１８の出力信号であるＣＡＴＶ信号のみが出力端子４６に供給される。マイクロコンピュータ３２が開閉スイッチ３０のみを閉じたとき、増幅段２０の出力信号である衛星放送及び（または）衛星通信の中間周波信号のみが出力端子４６に供給される。マイクロコンピュータ３２が開閉スイッチ２８、３０双方を閉じたとき、ＣＡＴＶ信号並びに衛星放送及び（または）衛星通信の中間周波信号が出力端子４６に供給される。また、マイクロコンピュータ３２が開閉スイッチ２８、３０を共に開いている状態では、ＣＡＴＶ信号並びに衛星放送及び（または）衛星通信の中間周波信号は、出力端子４６には供給されない。
【００２７】
マイクロコンピュータ３２は、開閉スイッチ２８、３０のいずれを閉じるか、双方を閉じるかの制御を、１分岐器１２から分岐され、フィルタ３４によって抽出された電気制御信号を復調手段、例えば復調部３６によって復調され、マイクロコンピュータ３２に供給された制御データに基づいて行う。
【００２８】
１分岐器２２の分岐端子から出力されたＣＡＴＶ信号は、レベル検出手段、例えば検波回路３８に供給される。検波回路３８は、ＣＡＴＶ信号のレベルを表す出力信号をマイクロコンピュータ３２に供給する。同様に、１分岐器２６の分岐端子から出力された衛星放送及び（または）衛星通信の中間周波信号は、レベル検出手段、例えば検波回路４０に供給される。検波回路４０は、衛星放送及び（または）衛星通信の中間周波信号のレベルを表す出力信号をマイクロコンピュータ３２に供給する。
【００２９】
マイクロコンピュータ３２は、供給された検波回路３８、４０の出力信号を、内蔵するＡ／Ｄ変換回路によってデジタル化し、これらにそれぞれ対応して予め定めた閾値と比較する。検波回路３８用に予め定めた閾値よりも検波回路３８の出力信号の値が大きい場合、ＣＡＴＶ信号が増幅段１８から正常に出力され、ＣＡＴＶ系は正常であることが分かる。同様に、検波回路４０用に予め定めた閾値よりも検波回路４０の出力信号の値が大きい場合、衛星放送及び（または）衛星通信の中間周波信号が増幅段２０から正常に出力され、衛星放送及び（または）衛星通信の中間周波信号系は正常であることが分かる。即ち、マイクロコンピュータ３２は、比較手段または判定手段として機能している。
【００３０】
これら比較結果は、Ｄ−ＯＮＵ４ｂに供給され、Ｄ−ＯＮＵ４ｂから通信系光伝送路６ｂを介して通信系センター装置２ｂに供給される。この通信系センター装置２ｂには、パーソナルコンピュータ４２が接続されており、これによって、Ｖ−ＯＮＵ４ａの増幅段１８、２０での出力状態を把握することができる。
【００３１】
従って、増幅段１８、２０を動作させるように光制御信号を伝送したときに、増幅段１８、２０の出力がそれぞれ正常であるとの比較結果が伝送されてきた場合、増幅段１８、２０の制御が指示通りに行われたことをセンター装置２側で把握することができる。増幅段１８のみまたは増幅段２０のみを動作させるように光制御信号を伝送したときに、増幅段１８のみの出力が正常であるまたは増幅段２０のみの出力が正常であるとの比較結果が伝送されてきた場合、増幅段１８のみまたは増幅段２０のみが指示通りに制御されたことをセンター装置２側で把握することができる。
【００３２】
なお、このように増幅段１８、２０の動作を開始させるのは、すでに家屋に光端末装置４が設置されており、その家屋への新たな入居者があったような場合である。そして、入居者の希望によって、ＣＡＴＶ信号のみの受信、ＣＡＴＶ信号及び衛星放送及び（または）衛星通信中間周波信号双方の受信、または衛星放送及び（または）衛星通信中間周波信号のみの受信が行えるように、増幅段１８、２０の制御がセンター装置２側から行われる。これによって、作業員がいちいち光端末装置４の設置場所に赴いてＣＡＴＶ信号等を受信できるように作業する必要がない。
【００３３】
また、マイクロコンピュータ３２での比較及び比較結果がＤ−ＯＮＵ４ｂを介しての通信系センター装置２ｂへの送信は常時行われている。従って、例えばこの光端末装置４の使用者からテレビジョン放送の受信ができないとのクレームが寄せられた場合に、センター装置２側のパーソナルコンピュータ４２において増幅段１８、２０の出力が正常であるとの比較結果が得られていると、使用者のテレビジョン受信機側の問題であることが直ちに判明し、問題解決を速やかに行うことができる。また、センター装置２側のパーソナルコンピュータ４２において増幅段１８、２０の出力が正常であるとの比較結果が得られていない場合で、放送系センター装置２ａから正常に光テレビ信号が送信されていることが確認されると、光端末装置４または放送系光伝送路６ａの問題であると判明し、やはり問題解決を速やかに行うことができる。
【００３４】
しかも、このような比較結果のセンター装置２側への伝送は、光端末装置４が備えているＤ−ＯＮＵ４ｂと、通信系光伝送路６ｂと、通信系センター装置２ｂとを、用いて行っているので、わざわざ比較結果を伝送するための伝送経路を別途設ける必要がなく、設備コストを低減することができる。
【００３５】
マイクロコンピュータ３２には、表示手段、例えば複数のＬＥＤ４４が設けられており、比較結果をＶ−ＯＮＵ４ａの外部から確認できるようにも構成されている。従って、光端末装置４の保守点検に行った作業員が、このＬＥＤ４４の発光状態を確認することによって、増幅段１８、２０の動作状態を視認することができる。
【００３６】
上記の実施形態では、ＣＡＴＶ信号と、衛星放送及び（または）衛星通信の中間周波信号との双方を光端末装置４に伝送したが、場合によってはいずれか一方、例えばＣＡＴＶ信号のみを光端末装置４に伝送する場合もある。この場合には、Ｖ−ＯＮＵ４ａには増幅段１８のみが設置されており、増幅段１８を動作させる場合に光制御信号がＶ−ＯＮＵ４ａに伝送される。
【００３７】
上記の実施形態では、増幅段１８、２０を動作させるか否かを制御したが、これに限ったものではなく、例えば増幅段１８、２０に代えて可変減衰器を設けて、これらの減衰量を制御することもできるし、増幅段１８、２０に代えて開閉スイッチを設けて、これらの開閉を制御することもできる。
【００３８】
また、上記の実施形態では、マイクロコンピュータ３２から比較結果を通信系センター装置２ｂに伝送したが、検波回路３８、４０の出力信号をデジタル化したものを通信系センター装置２ｂに伝送し、パーソナルコンピュータ４２において閾値と比較し、その比較結果を表示するように構成することもできる。
【００３９】
上記の実施形態では、分波器１６によってＣＡＴＶ信号と衛星放送中間周波信号とを分波して、ＣＡＴＶ信号を増幅段１８に、衛星放送中間周波信号を増幅段２０に供給したが、分波器１６に代えて分配器を設け、分配出力を増幅段１８、２０にそれぞれ供給し、増幅段１８にＣＡＴＶ信号の抽出手段を設け、増幅段２０に衛星放送及び（または）衛星通信の中間周波信号の抽出手段を設けることもできる。
【符号の説明】
【００４０】
２  センター装置
４  光端末装置
４ａ  Ｖ−ＯＮＵ（映像光端末部）
４ｂ  Ｄ−ＯＮＵ（通信光端末部）
６ａ  映像系光伝送路（光伝送路）
６ｂ  通信系光伝送路（光伝送路）
１０  フォトダイオード（光電変換手段）
１８  ２０  増幅段（伝送手段）
３８  ４０  検波回路（レベル検出手段）
【図１】
2010177903.tif 000003